(57)【特許請求の範囲】
【請求項１】
所定の制御電圧に基づいた周波数の基準クロック周波数を発生する第１の電圧制御発振器と、
前記第１の電圧制御発振器からの基準クロック周波数に基づいて無線通信の送受信に使用する周波数を発生する第２の電圧制御発振器を有するＰＬＬ回路と、
電磁石を有し該電磁石に電流が流れることによって鳴音し該鳴音によって操作者に対する報知を行うスピーカと
を備え、
前記スピーカを所定の固定周波数で鳴音させる際に前記電磁石が振動して生じる前記固定周波数の磁界変動の影響を打ち消すように、前記第１の電圧制御発振器が発生する基準クロック周波数信号を変更するための前記第１の電圧制御発振器に与える前記所定の制御電圧を変更する制御手段をさらに備えた
ことを特徴とする移動携帯端末装置。
【請求項２】
前記制御手段が、前記第１の電圧制御発振器に与える前記所定の制御電圧の変更を、前記スピーカの鳴音による磁界変動の前記固定周波数に同期させて行うことを特徴とする請求項１に記載の移動携帯端末装置。
【請求項３】
前記第１の電圧制御発振器として電圧制御型温度補償水晶発振器を用いることを特徴とする請求項１または２に記載の移動携帯端末装置。
【請求項４】
前記制御手段が、前記第１の電圧制御発振器に与える前記所定の制御電圧を出力するＤ／Ａコンバータを有し、
前記制御手段が、前記第１の電圧制御発振器に与える前記所定の制御電圧を変更する際、該変更を、非変更時の前記Ｄ／Ａコンバータの出力値に対して一定のオフセット値を加算することによって行うことを特徴とする請求項１ないし３のうちのいずれか１項に記載の移動携帯端末装置。
【請求項５】
前記オフセット値を変更可能とすることを特徴とする請求項４に記載の移動携帯端末装置。
【発明の詳細な説明】
【０００１】
【発明の属する技術分野】
本発明は、移動携帯端末装置に関し、特に磁界変動の影響を受け得るローカル回路を有する移動携帯端末装置に関する。
【０００２】
【従来の技術】
最近では、ユーザの使い勝手の向上等の要望から、携帯電話機等の移動携帯端末装置の小型化が進み、移動携帯端末装置内の無線部と制御部や報知部等が近接するような構造になってきている。
【０００３】
このため、移動携帯端末装置内の無線部のローカル回路配置と、スピーカ配置とを考慮せずに設計した場合、スピーカ鳴音時にスピーカ磁石部の振動が磁界の変動を生じさせ、この影響をローカル回路が受け、スピーカ鳴音中のローカル回路位相ずれが発生し、これによって変調精度が劣化し、結果として通信断に至る場合もしばしばあった。
【０００４】
図４は、従来の移動携帯端末装置におけるローカル回路を示すブロック図である。
【０００５】
制御部４０１は、送受信に使用する周波数設定データをＣＰＵ部４０１ＡよりＰＬＬＩＣ（Ｐｈａｓｅ  Ｌｏｃｋ  Ｌｏｏｐ  ＩＣ）４０３へ送付する。
【０００６】
ＰＬＬＩＣ４０３は、受け取った周波数設定データに従い、ＶＣＴＣＸＯ４０２からの基準ＣＬＫをＰＬＬＩＣ４０３内部で分周したものと、ＶＣＯ４０５の出力周波数をＰＬＬＩＣ４０３内部で分周したものとの位相を比較し、位相が合うようにローパスフィルタ４０４を介してＶＣＯ４０５へ加える電圧値を変化させる。
【０００７】
このＶＣＯ４０５の出力周波数は受信部４０９または送信部４１０へ供給されて送受信のローカル周波数として用いられる。
【０００８】
ここで、アラームの報知または着信の報知を行うためにスピーカ１０８を鳴音させる場合、固定の周波数で報知する場合には波形生成回路４０１Ｃで生成された鳴音周波数をスピーカアンプ４０６で増幅させ、スピーカ４０８を鳴音させる。
【０００９】
固定の周波数ではなく、メロディ等で報知させる場合にはＣＰＵ部４０１Ａから音源ＩＣ４０７へ鳴音データを転送し、スピーカアンプ４０６で増幅させ、スピーカ４０８を鳴音させる。
【００１０】
図５は、図４に示した回路の各部における信号状態を示す図であり、（ａ）は図４に示した波形生成回路４０１Ｃの出力５０１を示す図、（ｂ）は図４に示したＤ／Ａコンバータ４０１Ｂの出力５０２を示す図、（ｃ）は図４に示したＶＣＴＣＸＯ４０２の出力５０３を示す図、（ｄ）は図４に示したスピーカ４０８を固定周波数で鳴音させたときに生じるＶＣＯ４０５における磁束変化を示す図、（ｅ）は図４に示したＶＣＯ４０５の出力５０５を示す図である。
【００１１】
図５に示すように、従来は、スピーカ４０８を固定周波数で鳴音させたときに、スピーカ４０８の磁石部が振動し、この影響でＶＣＯ４０５において磁束変化が生じ、これによってＶＣＯ４０５の出力５０５の位相が変動してしまっていた。
【００１２】
【発明が解決しようとする課題】
このような磁界変動の影響への対策としては、たとえば、スピーカの磁石部にカバーを施し、磁束の漏洩量を低減させる処置が考えられるが、この対策では、コストアップや重量増となってしまうという欠点がある。
【００１３】
また、スピーカ鳴音中の位相ずれを防止するためにスピーカとローカル回路の配置を離すように努めた場合、全体の部品配置に影響が出てしまい、効率良く配置できなくなるといった問題も生じる。
【００１４】
本発明は上記の点にかんがみてなされたもので、磁界変動の影響を受け得るローカル回路を有する移動携帯端末装置において、磁界変動が生じた場合であってもローカル回路の位相ずれを低減することができる移動携帯端末装置を提供することを目的とする。
【００１５】
【課題を解決するための手段】
本発明は上記目的を達成するために、たとえば携帯電話機において特定の固定された周波数でスピーカを鳴音させた場合、スピーカ磁石部の微振動による磁界変動に伴って電圧制御発振器（以下「ＶＣＯ」と略す）に発生する起電力の影響によって、ＰＬＬシンセサイザ回路（以下「ＰＬＬＩＣ」と略す）に生じる位相ずれを、電圧制御型温度補償水晶発振器（以下「ＶＣＴＣＸＯ」と略す）の周波数を微調節することによって減少させ、スピーカ鳴音中の変調精度特性劣化を抑制することを特徴とする。
【００１６】
制御部より指定されたローカル周波数は、ＰＬＬＩＣにてＶＣＴＣＸＯの周波数と位相比較され、ＶＣＯに加える電圧を調整することにより指定された周波数を維持する。そしてローカル周波数は受信部または送信部へ供給される。ＶＣＴＣＸＯの周波数は制御部からの電圧調整により調整できるという構成に対し、本発明に従って鳴音の波形を生成する回路の動作周期に合せ、ＶＣＴＣＸＯに加える電圧値に一定のオフセット値をＯＮ／ＯＦＦさせる制御を加え、ＰＬＬＩＣでの位相ずれを抑える。
【００１７】
これにより、特定の固定周波数にてスピーカを鳴音させた場合においても位相エラーが増加しないため、変調精度劣化による通信断といった障害が発生しないという効果が得られる。
【００１８】
【発明の実施の形態】
次に、本発明の実施の形態について図面を参照して詳細に説明する。
【００１９】
本発明は、たとえば携帯電話機において特定の固定された周波数でスピーカを鳴音させた場合、スピーカ磁石部の微振動による磁界変動に伴って電圧制御発振器（以下「ＶＣＯ」と略す）に発生する起電力の影響によって、ＰＬＬシンセサイザ回路（以下「ＰＬＬＩＣ」と略す）に生じる位相ずれを、電圧制御型温度補償水晶発振器（以下「ＶＣＴＣＸＯ」と略す）の周波数を微調節することによって減少させ、スピーカ鳴音中の変調精度特性劣化を抑制することを特徴とする。
【００２０】
図１は、本発明の一実施の形態による移動携帯端末装置におけるローカル回路を示すブロック図である。
【００２１】
制御部１０１は、送受信に使用する周波数設定データをＣＰＵ部１０１ＡよりＰＬＬＩＣ（Ｐｈａｓｅ  Ｌｏｃｋ  Ｌｏｏｐ  ＩＣ）１０３へ送付する。
【００２２】
ＰＬＬＩＣ１０３は、受け取った周波数設定データに従い、ＶＣＴＣＸＯ１０２からの基準ＣＬＫをＰＬＬＩＣ１０３内部で分周したものと、ＶＣＯ１０５の出力周波数をＰＬＬＩＣ１０３内部で分周したものとの位相を比較し、位相が合うようにローパスフィルタ１０４を介してＶＣＯ１０５へ加える電圧値を変化させる。
【００２３】
このＶＣＯ１０５の出力周波数は受信部１０９または送信部１１０へ供給されて送受信のローカル周波数として用いられる。
【００２４】
ここで、アラームの報知または着信の報知を行うためにスピーカ１０８を鳴音させる場合、固定の周波数で報知する場合には波形生成回路１０１Ｃで生成された鳴音周波数をスピーカアンプ１０６で増幅させ、スピーカ１０８を鳴音させる。
【００２５】
固定の周波数ではなく、メロディ等で報知させる場合にはＣＰＵ部１０１Ａから音源ＩＣ１０７へ鳴音データを転送し、スピーカアンプ１０６で増幅させ、スピーカ１０８を鳴音させる。
【００２６】
固定の周波数で鳴音する場合、波形生成回路１０１Ｃから鳴音周波数と同期した方形波がＤ／Ａコンバータ部１０１Ｂへ出力され、Ｄ／Ａコンバータ部１０１Ｂは、その入力が『Ｈｉ』である場合には予め定められたオフセット値を通常のＶＣＴＣＸＯ制御電圧に加算する。なお、このオフセット値は変更可能としてもよい。
【００２７】
これにより、固定周波数にてスピーカを鳴音させた場合においても、スピーカ鳴音に伴う磁束変化と同期してＶＣＴＣＸＯ１０２の位相を変化させるため、磁束変化の影響を受け、ＶＣＯ１０５の出力周波数の位相がずれる場合においても、ＶＣＴＣＸＯ１０２との相対的な位相ずれ量を最小限に抑えることができ、変調精度等の無線特性の劣化を防止できるという効果が得られる。
【００２８】
上述の受信部構成、送信部構成およびＰＬＬＩＣ構成は、当業者にとってよく知られており、また本発明とは直接関係しないので、その詳細な構成説明は省略する。
【００２９】
次に、本発明の動作についてさらに詳しく説明する。
【００３０】
図２は、図１に示した実施の形態の細部を詳細に示すブロック図である。
【００３１】
また、図３は、図１に示した回路の各部における信号状態を示す図であり、（ａ）は図１に示した波形生成回路１０１Ｃの出力３０１を示す図、（ｂ）は図１に示したＤ／Ａコンバータ１０１Ｂの出力３０２を示す図、（ｃ）は図１に示したＶＣＴＣＸＯ１０２の出力３０３を示す図、（ｄ）は図１に示したスピーカ１０８を固定周波数で鳴音させたときに生じるＶＣＯ１０５における磁束変化を示す図、（ｅ）は図１に示したＶＣＯ１０５の出力３０５を示す図である。
【００３２】
ＰＬＬＩＣ１０３は、制御部１０１からの周波数設定データ２１４に基づきチャージポンプ１０３Ｃの出力電圧を制御し、ＶＣＯ１０５の発振周波数３０５を比較分周器１０３Ａで分周した周波数とＶＣＴＣＸＯ１０２の出力周波数３０３との位相比較を位相比較器１０３Ｂにて行い、位相が合うようにチャージポンプ１０３Ｃの出力電圧を微調整する。
【００３３】
固定周波数３０１でスピーカ１０８が鳴音する場合、ＶＣＯ１０５の発振部に使用しているコイル２０４に対し、矢印２０４Ａの示す方向に磁束の変化が生じ、その起電力により矢印２０４Ｂの示す方向に電流が流れる。
【００３４】
このため、コンデンサ２０２、バリキャップ２０１の静電容量が増加し、ＶＣＯ１０５の発振周波数３０５は低くなる。これにより比較分周器１０３Ａで周波数変換された周波数とＶＣＴＣＸＯ１０２の出力周波数３０３の位相を比較するとずれ（遅れ）が生じることになる。
【００３５】
そこで、本実施の形態では、スピーカ１０８の鳴音周波数３０１に同期してＤ／Ａコンバータ１０１Ｂの出力電圧３０２を変化させ（図３（ａ）、図３（ｂ）参照）、ＶＣＴＣＸＯ１０２の出力３０３の位相を変化（遅れ）させた場合、位相比較器１０３Ｂでの位相ずれ量が相対的に少なくなるようにしている。これにより、ＰＬＬＩＣ１０３はチャージポンプ１０３Ｃの出力を大きく調整する必要がなくなり、ＶＣＯ１０５の出力３０５の位相は安定する（図３（ｅ）参照）。
【００３６】
すなわち、本発明は、スピーカが固定周波数で鳴音する場合に、ＶＣＴＣＸＯの制御電圧を変化させることによって、ＰＬＬ回路の位相ずれを低減し、送信特性の劣化を最小限に抑えることを可能とする。
【００３７】
【発明の効果】
以上説明したように、本発明によれば、磁界変動の影響を受け得るローカル回路を有する移動携帯端末装置において、磁界変動が生じた場合であってもローカル回路の位相ずれを低減することができる移動携帯端末装置を提供するができる。
【００３８】
また、本発明によれば、スピーカを固定周波数で鳴音させる場合に、鳴音期間中は基準ＣＬＫであるＶＣＴＣＸＯの周波数微調整を繰り返すことによって、ＰＬＬ回路の位相ずれを低減し、変調精度などの送信特性を改善することができる。これによりスピーカ鳴音に起因する送信特性劣化がある場合には、着呼特性を改善できる。
【００３９】
さらに、本発明によれば、従来技術の課題の対策としてスピーカとＶＣＯの距離を離す、または漏洩磁束対策をしたスピーカを使用するといった処置をとる必要がなくなるため、部品配置の自由度が向上し、通常のスピーカが使用できるため原価低減を図ることもできる。
【図面の簡単な説明】
【図１】本発明の一実施の形態による移動携帯端末装置におけるローカル回路を示すブロック図である。
【図２】図１に示した実施の形態の細部を詳細に示すブロック図である。
【図３】図１に示した回路の各部における信号状態を示す図であり、（ａ）は図１に示した波形生成回路１０１Ｃの出力３０１を示す図、（ｂ）は図１に示したＤ／Ａコンバータ１０１Ｂの出力３０２を示す図、（ｃ）は図１に示したＶＣＴＣＸＯ１０２の出力３０３を示す図、（ｄ）は図１に示したスピーカ１０８を固定周波数で鳴音させたときに生じるＶＣＯ１０５における磁束変化を示す図、（ｅ）は図１に示したＶＣＯ１０５の出力３０５を示す図である。
【図４】従来の移動携帯端末装置におけるローカル回路を示すブロック図である。
【図５】図４に示した回路の各部における信号状態を示す図であり、（ａ）は図４に示した波形生成回路４０１Ｃの出力５０１を示す図、（ｂ）は図４に示したＤ／Ａコンバータ４０１Ｂの出力５０２を示す図、（ｃ）は図４に示したＶＣＴＣＸＯ４０２の出力５０３を示す図、（ｄ）は図４に示したスピーカ４０８を固定周波数で鳴音させたときに生じるＶＣＯ４０５における磁束変化を示す図、（ｅ）は図４に示したＶＣＯ４０５の出力５０５を示す図である。
【符号の説明】
１０１  制御部
１０１Ａ  ＣＰＵ部
１０１Ｂ  Ｄ／Ａコンバータ
１０１Ｃ  波形生成回路
１０２  ＶＣＴＣＸＯ
１０３  ＰＬＬＩＣ
１０３Ａ  比較分周器
１０３Ｂ  位相比較器
１０３Ｃ  チャージポンプ
１０３Ｄ  周波数設定レジスタ
１０４  ローパスフィルタ
１０５  ＶＣＯ
１０６  スピーカアンプ
１０７  音源ＩＣ
１０８  スピーカ
１０９  受信部
１１０  送信部
２０１  バリキャップ
２０２  コンデンサ
２０３  コンデンサ
２０４  コイル
２０５  ローカル電源
【図１】
0003612506.tif 000002
【図２】
0003612506.tif 000003
【図３】
0003612506.tif 000004
【図４】
0003612506.tif 000005
【図５】
0003612506.tif 000006